(57)【要約】【課題】簡素な構成で高い安全性を実現する乳幼児用ハイチェアを提供する。【解決手段】左右両脚１１の間に上下に座板１２と足載せ板１３を横架する。座板１２および足載せ板１３の側部に突設した係合部２２と、各脚１１の内側面に前後方向に沿って凹設した溝部２３とを有し、係合部２２および溝部２３の凹凸係合構造により座板１２および足載せ板１３の奥行調整範囲を規制する。座板１２および足載せ板１３に裏板を付設し、裏板の側端部に係合部２２が構成される。座板１２および足載せ板１３に対してそれぞれ上下複数段の溝部２３を有する。凹凸係合構造により座板１２および足載せ板１３の奥行調整範囲を規制することで、高い安全性を確保する。【選択図】        図３
2004147802.tif 000002
【特許請求の範囲】
【請求項１】
左右両脚の間に上下に座板と足載せ板が横架される乳幼児用ハイチェアであって、
上記座板および上記足載せ板の側部に突設された係合部と、各脚の内側面に前後方向に沿って凹設された溝部とを有し、上記係合部および上記溝部の凹凸係合構造により上記座板および上記足載せ板の奥行調整範囲を規制するようにしたことを特徴とする乳幼児用ハイチェア。
【請求項２】
前記座板および前記足載せ板に裏板が付設され、該裏板の側端部に前記係合部が構成されることを特徴とする、請求項１に記載の乳幼児用ハイチェア。
【請求項３】
前記係合部には凹部が設けられ、前記溝部には凸部が設けられ、この凸部が上記凹部に入り込んで、前記座板および前記足載せ板が前記左右両脚間に挟持されることを特徴とする、請求項１または請求項２に記載の乳幼児用ハイチェア。
【請求項４】
前記凹部の前後幅が、前記凸部の前後幅よりも大きく設定され、これらの差分だけ前記座板と前記足載せ板が前後方向にスライド可能であることを特徴とする、請求項３に記載の乳幼児用ハイチェア。
【請求項５】
前記溝部が、前記各脚の内側面に脚後方から脚前方に向かいつつ、前記脚の前面と後面間であって脚前面寄りまで凹設されていることを特徴とする、請求項１又は２に記載の乳幼児用ハイチェア。
【請求項６】
各脚の内側面に前記座板および前記足載せ板に対してそれぞれ上下複数段の溝部を有することを特徴とする、請求項１〜請求項５の何れかに記載の乳幼児用ハイチェア。
【請求項７】
前記左右の両脚は、その下端部に床上に載置されるベースが結合して、概略Ｌ字状を呈し、
前記ベースが後方へ拡開するように概略ハの字状に形成されて、ネスティングを行い得ることを特徴とする、請求項１〜請求項６の何れかに記載の乳幼児用ハイチェア。
【請求項８】
前記座板及び／又は前記足載せ板の両側面に突出するストッパを備えることを特徴とする、請求項１〜請求項７の何れかに記載の乳幼児用ハイチェア。
【請求項９】
左右両脚の間に上下に座板と足載せ板が横架される乳幼児用ハイチェアであって、
各脚の内側面に前後方向に沿って凹設された溝部と、上記座板及び／又は上記足載せ板の両側面に突出するストッパと、を有し、
上記ストッパが、上記溝部に対して上記座板及び／又は上記足載せ板をスライドさせた際に、上記脚に当接することにより、奥行調整範囲を規制するようにしたことを特徴とする乳幼児用ハイチェア。
【請求項１０】
前記座板および前記足載せ板に裏板が付設され、該裏板が前記溝に入り込むことを特徴とする、請求項９に記載の乳幼児用ハイチェア。
【請求項１１】
各脚の内側面に前記座板および前記足載せ板に対してそれぞれ上下複数段の溝部を有することを特徴とする、請求項９又は１０に記載の乳幼児用ハイチェア。
【請求項１２】
前記座板が椅子から脱落するのを防止する座板脱落防止手段を備えることを特徴とする、請求項１〜１１の何れか１項に記載の乳幼児用ハイチェア。
【請求項１３】
前記座板脱落防止手段は、一端を前記座板の下面に取り付け、他端を前記両脚間に横架された棒材に取り付けたベルトにより構成されることを特徴とする、請求項１２に記載の乳幼児用ハイチェア。
【請求項１４】
前記ベルトは、その長さが前記座板を後方に引いた時に、脱落しないように設定されていることを特徴とする、請求項１３記載の乳幼児用ハイチェア。
【発明の詳細な説明】
【０００１】
【発明の属する技術分野】
本発明は、施設あるいは一般家庭等において、特に乳幼児が食事をする場合などに着座して使用する所謂、乳幼児用ハイチェアに関するものである。
【０００２】
【従来の技術】
たとえば一般家庭等において、特に乳幼児が食事をする場合、乳幼児用ハイチェア等と称するこの種の椅子が使用される。その基本構成において、たとえば左右両脚の間に上下に座板と足載せ板が横架され、また着座した子供が倒れないように保持する背もたれ等が付設される。乳幼児用ハイチェアを使用することで、食卓等を使用可能な高さ位置に子供を座らせることができる。
【０００３】
従来の乳幼児用ハイチェアのさらに具体的な構成を説明すると、座板や足載せ板の奥行（前後方向位置）が調整可能になっているものがある。この場合、両脚の間にはそれらを結合するとともにその幅を設定する金属製の棒材がネジで固定されている。そのネジを緩めることで、座板や足載せ板を外すことができ、また、必要に応じてそれらを適宜前後にスライドさせることで、奥行を調整することができるようになっている。
【０００４】
【発明が解決しようとする課題】
しかしながら、従来の乳幼児用ハイチェアでは座板や足載せ板の奥行を調整可能になっているものの、その調整幅もしくは量（調整範囲）は制限なく自由に設定できるようになっているため、座板あるいは足載せ板が前後に出過ぎると、椅子として安定性を確保するのが難しくなる。
【０００５】
本発明は以上の点に鑑み、簡素な構成で高い安全性を発揮する乳幼児用ハイチェアを提供することを目的とする。
【０００６】
【課題を解決するための手段】
上記目的を達成するため、本発明は、左右両脚の間に上下に座板と足載せ板が横架される乳幼児用ハイチェアであって、座板および足載せ板の側部に突設された係合部と、各脚の内側面に前後方向に沿って凹設された溝部とを有し、上記係合部および上記溝部の凹凸係合構造により座板および足載せ板の奥行調整範囲を規制するようにしたことを特徴とする。
【０００７】
本発明の乳幼児用ハイチェアにおいて、好ましくは、前記座板および前記足載せ板に裏板が付設され、この裏板の側端部に前記係合部が構成される。
【０００８】
本発明の乳幼児用ハイチェアにおいて、好ましくは、前記係合部には凹部が設けられ、前記溝部には凸部が設けられ、この凸部が前記凹部に入り込んで、前記座板および前記足載せ板が前記左右両脚間に挟持される。また、前記係合部に形成された凹部の前後幅は、前記溝部に形成された凸部の前後幅よりも大きく設定される。
【０００９】
前記溝部は、前記各脚の内側面に脚後方から脚前方に向かいつつ、前記脚の前面と後面間であって脚前面寄りまで凹設されていても良い。
本発明の乳幼児用ハイチェアにおいて、好ましくは、各脚の内側面に前記座板および前記足載せ板に対してそれぞれ上下複数段の溝部を備えている。
さらに、本発明の乳幼児用ハイチェアにおいて、前記左右の両脚は、その下端部に床上に載置されるベースが結合して、概略Ｌ字状を呈し、前記ベースが後方へ拡開するように概略ハの字状に形成されて、ネスティングを行うことができることを特徴とする。また、好ましくは、前記座板及び／又は前記足載せ板の両側面にストッパが突出している。
さらに、本発明は、左右両脚の間に上下に座板と足載せ板が横架される乳幼児用ハイチェアであって、各脚の内側面に前後方向に沿って凹設された溝部と、座板及び／又は足載せ板の両側面に突出するストッパとを有し、上記ストッパが、溝部に対して座板及び／又は足載せ板をスライドさせた際に、脚に当接することにより、奥行調整範囲を規制するようにしたことを特徴とする。
前記座板および前記足載せ板には裏板を付設し、この裏板が前記溝に入り込むように構成してもよく、また、各脚の内側面に前記座板および前記足載せ板に対してそれぞれ上下複数段の溝部を有するように構成してもよい。
さらに、乳幼児用ハイチェアは、好ましくは、前記座板脱落防止手段を備えており、これは、一端を前記座板の下面に取り付け、他端を前記両脚間に横架された棒材に取り付けたベルトにより構成される。このベルトは、その長さが座板を後方へ引いた時に、脱落しないように設定されている。
【００１０】
本発明によれば、座板および足載せ板の側部に突設された係合部と、各脚の内側面に前後方向に沿って凹設された溝部とにより凹凸係合構造を備えている。この凹凸係合構造により、座板および足載せ板の前後方向の動き、すなわち奥行調整範囲を規制することで、座板および足載せ板を前後方向の所定位置を維持しながら左右両脚の間に横架することができる。
【００１１】
【発明の実施の形態】
以下、図面に基き、本発明による乳幼児用ハイチェアの好適な実施の形態を説明する。
図１は、本発明による乳幼児用ハイチェア１０の全体構成例を示している。この乳幼児用ハイチェア１０は典型的には６ヶ月〜４才程度の乳幼児を対象とし、その基本構成は、左右両脚１１の間に、上下に座板１２と足載せ板１３が横架される構造となっている。勿論、適用対象は上記の月年齢の乳幼児に限られるものではない。
【００１２】
図２〜図４は乳幼児用ハイチェア１０の正面図、側面図および平面図である。左右両脚１１の下端部には、それぞれ、床上に載置されるベース１４が結合し、これらの部材により概略Ｌ字状を呈している。脚１１は適度に前下がりに傾斜するように概略Ｌ字状の当て金１５（図３（ｂ）参照）を介してベース１４と結合している。また、脚１１の下端部とベース１４との前方端と略中間部にて、それら左右の部材がブリッジ部材１６，１７によって結合されている。なお、本実施形態では、各部材を結合する際の締結手段として、基本的にはネジ１８を用いて組立および分解し得るように構成されている。
【００１３】
乳幼児用ハイチェア１０の上部には、左右両脚１１の間に背板１９が結合支持されている。背板１９は、着座する子供の背中に合うように後方へ湾曲形成され（図４）、ネジ１８によって脚１１に固定される。背板１９の前方には、左右両脚１１の外側から保護枠２０が結合支持されている。保護枠２０は平面視で概略Ｃ字状に前方へ湾曲形成され、座板１２の上方に位置している。
【００１４】
さらに、左右両脚１１の間には、高さ方向で略中間部に金属製の棒材２１が横架されている。この棒材２１は、左右両脚１１を結合するとともにその幅を設定するものであり、ネジ１８で左右両脚１１に固定される。このように左右の脚１１およびベース１４をブリッジ部材１６，１７、背板１９、さらに棒材２１を介して相互に結合することで、乳幼児用ハイチェア１０が全体として高い剛性を備えることができる。
【００１５】
上記の場合、ベース１４は図４の平面図に示されるように、後方へ拡開するように概略ハの字状に形成される。これにより乳幼児用ハイチェア１０が床上に載置された際に、高い安定性を確保することができる。
【００１６】
さて、本発明の乳幼児用ハイチェア１０において、図２あるいは図３等に示されるように、座板１２および足載せ板１３の側部には係合部２２が突設され、これに対応して、各脚１１の内側面において、前後方向に沿って溝部２３が凹設されている。さらに、図５に示されるように、座板１２および足載せ板１３の各係合部２２の略中央部には、凹部２２ａが設けられており、また各脚１１に形成された溝部２３の略中央部には、上記凹部２２ａに対応して凸部２３ａが設けられている。
【００１７】
そして、図５の点線矢印で示すように、溝部２３の中央に形成した凸部２３ａを、座板１２および足載せ板１３の各係合部２２に形成した凹部２２ａに入り込ませて、座板１２および足載せ板１３を左右の脚１１との間に挟持させるようにしている。
ここで、各係合部２２の凹部２２ａの前後幅Ｗ１は、脚１１の溝部２３に形成した凸部２３ａの前後幅Ｗ２よりも適度に大きく設定され（図５参照）、その差分（Ｗ１−Ｗ２）だけ、座板１２および足載せ板１３は、前後方向にスライドさせることができるようになっている。なお、スライドさせる場合には、各ネジ１８を緩めて各脚１１間を若干広げると、調整作業が行い易い。
【００１８】
すなわち、座板１２および足載せ板１３をある程度スライドさせると、凹部２２ａの表面が凸部２３ａの表面に衝接することにより、スライドを規制されるようになっている。
このように、係合部２２および溝部２３の凹凸係合構造により座板１２および足載せ板１３の奥行調整範囲を規制するようになっている。
【００１９】
なお、座板１２および足載せ板１３を前方向にスライドさせるに当たって、座板１２および足載せ板１３の前端が図３（ｂ）に示す垂線Ｚを超えないように設定されている。これにより乳幼児を安定して載せておくことができる。
【００２０】
この実施形態では、図２および図５に示すように、座板１２および足載せ板１３に裏板２４，２５が付設され、該裏板２４，２５の側端部に係合部２２が形成されている。裏板２４，２５は脚１１の前後幅と略等しい幅を有し、その両端部が座板１２および足載せ板１３から突出している。また、この例では座板１２に対して上下２段の溝部２３、足載せ板１３に対して上下４段の溝部２３がそれぞれ設けられ、乳幼児の成長に合わせて座板１２や足載せ部１３の位置を切り換えることができるようになっている。
【００２１】
上記構成において、座板１２あるいは足載せ板１３の高さ調節等を行なうために、脚１１のいずれかの溝部２３に係合部２２を係合させる際、棒材２１のネジ１８を緩めただけでは座板１２あるいは足載せ板１３を外せないようになっている。
【００２２】
つまり、係合部２２および溝部２３の凹凸係合により座板１２または足載せ板１３の動きが拘束される。この場合、乳幼児用ハイチェア１０の各部を締結している各ネジ１８を外して、座板１２あるいは足載せ板１３を移し変える。これにより仮にネジ１８が緩んだ場合でも、それだけでは座板１２あるいは足載せ板１３が外れることがないから、使用上極めて安全である。
【００２３】
また、座板１２または足載せ板１３の奥行調整を行なう場合、ネジ１８を緩めることで、少なくとも凹部２２ａおよび凸部２３ａの前後幅Ｗ１およびＷ２の差分だけ座板１２あるいは足載せ板１３をスライドさせることができる。この場合係合部２２および溝部２３の凹凸係合により奥行調整範囲が規制され、座板１２あるいは足載せ板１３が前後に出過ぎることはない。すなわち、座板１２あるいは足載せ板１３を前方向にスライドさせて、それらの前端が図３（ｂ）に示す垂線Ｚを超えることはない。このように、座板１２または足載せ板１３の奥行調整範囲を規制することで、乳幼児等が仮にたとえば足載せ板１３の前端部付近に乗った場合でも、乳幼児用ハイチェア１０が倒れることなく安定性を確保することができる。なお、座板１２あるいは足載せ板１３を前方向にスライドさせて、それらの前端が図３（ｂ）に示す垂線Ｚを超えた場合に、乳幼児が足載せ板１３の前端部付近に乗ると、乳幼児用乳幼児用ハイチェアが倒れるおそれがあった。
【００２４】
また、乳幼児用ハイチェア１０は、ベース１４が後方へ拡開するように概略ハの字状に形成されているため、図６（ａ）及び（ｂ）に示すように、一つの乳幼児用ハイチェア１０の後ろに他の乳幼児用乳幼児用ハイチェア１０を重ねるネスティングを行うことができ、複数の乳幼児用乳幼児用ハイチェア１０の収納に際し、省スペース化を図ることができる。
【００２５】
上記説明において、座板１２及び足載せ板１３と脚１１との係合構造として、図５等に示すように、凸部２３ａが凹部２２ａに入り込んで、脚１１と脚１１との間に座板１２及び足載せ板１３が挟持される場合を例示したが、座板１２及び足載せ板１３と脚１１との係合構造はこれに限定されるものではない。
ここで、図７は本実施の形態の変形例を示すものである。図７に示すように、各脚１１の内側面に前後方向に沿って凹設された溝部２６と、座板１２および足載せ板１３の側部に突設された係合部２７とにより、座板１２及び足載せ板１３と脚１１とを係合するように構成することもできる。
【００２６】
溝部２６は、図５に示す溝部２３と異なり、凸部２３ａを備えておらず、また、各脚１１の内側面に脚後方から脚前方に向かいつつ、脚１１の前面と後面間であって脚前面寄りまで凹設されている。また、係合部２７は、図５に示す係合部２２と異なり、凹部２２ａを備えずに構成されている。
【００２７】
このような構成により、座板１２および足載せ板１３は、図７に示すように、係合部２７が溝部２６に入り込んで、脚１１と脚１１との間に挟持される。図７に示す構造ものものでは、脚１１間に挟持した状態で座板１２および足載せ板１３を前方へスライドさせると、係合部２７は溝部２６の側壁に衝接する。これにより、座板１２および足載せ板１３は前方方向へのスライドを規制される。したがって、座板１２あるいは足載せ板１３が椅子の前方に出過ぎる、すなわち、座板１２あるいは足載せ板１３を前方向へスライドさせて、それらの前端が図３（ｂ）に示す垂線Ｚを超えることはない。このように座板１２または足載せ板１３の奥行調整範囲を規制することで、乳幼児などが仮にたとえば足載せ板１３の前端部付近に乗った場合でも、乳幼児用ハイチェア１０が倒れることなく高い安定性を確保することができる。
【００２８】
一方、座板１２および足載せ板１３を後方へスライドさせると、座板１２および足載せ板１３は脚１１から容易にはずれる。これにより、座板１２や足載せ板１３の取付位置を容易に切り換えることができる。
【００２９】
なお、図８に示すように、係合部２７の表面に溝（スリット）２８を刻設するのが望ましい。この溝２８は、座板１２および足載せ板１３の脚１１に対する好ましい係合位置を示す目印である。使用者は、この目印を基に、後方への調整範囲を容易に確認することができる。すなわち、図８に示すように、係合部２７の溝２８迄の部分を溝部２６内に入り込むようにすれば、座板１２および足載せ板１３は脚１１に対して好ましい位置に取り付けられる。
【００３０】
さらに、座板１２または足載せ板１３の奥行調整範囲を規制する乳幼児用ハイチェア１０は、次のようにも構成することができる。
即ち、図９に示すように、座板１２及び足載せ板１３の各両側面に椅子左右方向に突出するストッパ３０を形成する。このストッパ３０は、好ましくは、座板１２あるいは足載せ板１３を前方向にスライドさせたときに、それらの前端が図３（ｂ）に示す垂線Ｚを超えないように、座板１２および足載せ板１３の両側面に設けられる。
【００３１】
このように、図９に示す構造においては、座板１２および足載せ板１３を前方へスライドさせると、ストッパ３０は脚１１に衝接する。これにより、座板１２および足載せ板１３は前方方向へのスライドを規制される。
したがって、座板１２あるいは足載せ板１３が椅子の前方に出過ぎることはない。このように座板１２または足載せ板１３の奥行調整範囲を規制することで、乳幼児などが仮にたとえば足載せ板１３の前端部付近に乗った場合でも、乳幼児用ハイチェア１０が倒れることなく高い安定性を確保することができる。
【００３２】
なお、図９に示すようにストッパ３０を座板１２および足載せ板１３の各両側面に設ける場合、座板１２および足載せ板１３と各足１１との係合は、上記図５及び図７に示す他、図１０に示すように構成してもよい。即ち、図１０に示すように、各脚１１の内側面に、脚１１の前面から後面まで凹設された溝部２９を形成し、この溝部２９に座板１２や足載せ板１３の側面を入り込ませて、座板１２および足載せ板１３を脚１１と脚１１との間に挟持させる。
【００３３】
上記の如く座板１２または足載せ板１３の奥行調整範囲を規制する乳幼児用ハイチェア１０を説明したが、これらの乳幼児用ハイチェア１０を次のような構成を付加しておくと、更に有利である。
【００３４】
即ち、図１１に示す乳幼児用ハイチェア１０には、座板脱落防止手段４０が設けられている。この座板脱落防止手段４０は、図１１に示すように、帯状のベルト４１が、その一端を座板１２の下面に取り付けられ、他端が棒材２１に取り付けられて構成される。なお、座板１２を後方へ引いた時に、座板１２が脚１１間に挟持された状態でベルト４１が緊張し、それ以上後方へ座板１２を引くことができないように、ベルト長が設定されている。
【００３５】
このような座板脱落防止手段４０が備えられていると、座板１２が乳幼児用ハイチェア１０から外れる事態を確実に防止できる。これにより、例えば、ネジ１８が緩み、座板１２が後方向にずれたとしても、座板脱落防止手段４０が座板１２の脱落を防止するので、座板１２に着座している乳幼児が椅子から落下するような事故が確実に防止される。
【００３６】
また、乳幼児の椅子からの脱落を防止するために、図１１に示すように、保護ベルト手段５０を備えていれば一層好ましい。この保護ベルト手段５０は、一端が座板１２の上面に取り付けられ、他端に雌バックル５１を備えた、乳幼児の股に当接する第一ベルト５２と、椅子を構成する背もたれ１９に一端が取り付けられ、雌バックル５１と嵌合する雄バックルを他端に備え、乳幼児の胴まわりに巻回される一対の第二ベルト５３とにより、構成される。このような保護ベルト手段５０により、上記ハイチェア１０に着座した乳幼児の動きを規制することで、不用意な動作による椅子からの乳幼児落下が防止できる。
【００３７】
以上本発明を実施の形態について説明したが、本発明は上記実施形態にのみ限定されるものでなく、本発明の範囲内で種々の変更等が可能であり、上記実施形態と同様な作用効果を得ることができる。
たとえば、各脚１１の内側面に適宜間隔で上下に複数段で凹設された溝部２３の個数等は、必要に応じて適宜増減することができる。また、座板１２および足載せ板１３に別体の裏板２４，２５を付設し、該裏板２４，２５の側端部に係合部２２が構成される例を説明したが、係合部２２は座板１２および足載せ板１３の側縁部に一体に突出形成することもできる。
【００３８】
【発明の効果】
以上説明したように本発明によれば、この種の乳幼児用ハイチェアにおいてネジが緩んだ場合でも座板あるいは足載せ板が外れることがないから、使用上極めて安全であり、また座板または足載せ板の奥行調整範囲を規制することで、転倒防止が図られ高い安定性を確保することができる。
【図面の簡単な説明】
【図１】本発明による乳幼児用ハイチェアの全体構成例を示す斜視図である。
【図２】本発明による乳幼児用ハイチェアの実施形態における正面図である。
【図３】本発明による乳幼児用ハイチェアの実施形態における側面図である。
【図４】本発明による乳幼児用ハイチェアの実施形態における平面図である。
【図５】本発明による乳幼児用ハイチェアの実施形態における係合部および溝部の凹凸係合構造を示す斜視図である。
【図６】本発明による乳幼児用ハイチェアの実施形態におけるネスティングの例を示す斜視図および側面図である。
【図７】本発明による乳幼児用ハイチェアの実施形態における係合部および溝部によって構成される凹凸係合構造の変形例を示す斜視図である。
【図８】図７に示す凹凸係合構造の変形例の斜視図である。
【図９】本発明による乳幼児用ハイチェアの他の構成例を示す部分斜視図である。
【図１０】本発明による乳幼児用ハイチェアの実施形態における溝部と座板，足載せ板の更に他の凹凸係合構造を示す斜視図である。
【図１１】本発明による乳幼児用ハイチェアのさらに他の構成例を示す斜視図である。
【符号の説明】
１０    乳幼児用ハイチェア
１１    脚
１２    座板
１３    足載せ板
１４    ベース
１６，１７    ブリッジ部材
１８    ネジ
１９    背板
２０    保護枠
２１    棒材
２２，２７    係合部
２３，２６，２９    溝部
２４，２５    裏板
４０    座板脱落防止手段
４１    ベルト
５０    保護ベルト手段
５１    雌バックル
５２    第一ベルト
５３    第二ベルト
【図１】
2004147802.tif 000003
【図２】
2004147802.tif 000004
【図３】
2004147802.tif 000005
【図４】
2004147802.tif 000006
【図５】
2004147802.tif 000007
【図６】
2004147802.tif 000008
【図７】
2004147802.tif 000009
【図８】
2004147802.tif 000010
【図９】
2004147802.tif 000011
【図１０】
2004147802.tif 000012
【図１１】
2004147802.tif 000013